(57)【特許請求の範囲】
【請求項１】
圧縮機と凝縮器と膨張機構と蒸発器とが環状に接続される冷凍サイクルを備え、前記冷凍サイクルを循環する冷媒が前記凝縮器で凝縮する凝縮温度が４６℃以上となる場合がある冷凍装置であって、
前記冷媒は、Ｒ３２を含み、
前記冷凍サイクルには、前記圧縮機の潤滑用の冷凍機油が入れられ、
前記冷凍機油と前記冷媒との混合物に含まれる前記冷凍機油の濃度である油濃度の最小値は、３５±１０ｗｔ％であり、
前記油濃度は、前記混合物の温度が４６℃以上で上昇することに伴い、前記冷凍装置の起動時における前記最小値から上昇する傾向を示し、
前記混合物が前記冷凍機油と前記冷媒とに分離する温度のうち高温側の温度である分離温度は、前記凝縮温度よりも高い、
冷凍装置。
【請求項２】
前記冷媒は、Ｒ３２を５０重量％より多く含む、
請求項１に記載の冷凍装置。
【請求項３】
前記冷媒は、ＨＦＯ系冷媒をさらに含む、
請求項１または２に記載の冷凍装置。
【請求項４】
前記凝縮器は、室外に設置され、
前記蒸発器は、室内に設置される、
請求項１から３のいずれか１項に記載の冷凍装置。
【請求項５】
前記凝縮温度は、５２℃以上となる場合がある、
請求項１から４のいずれか１項に記載の冷凍装置。
【請求項６】
前記分離温度は、前記冷凍機油とＲ４１０ＡまたはＲ４０７Ｃとの混合物が分離する温度のうち高温側の温度よりも低い、
請求項１から５のいずれか１項に記載の冷凍装置。
【請求項７】
外気温が４６℃以上の環境において使用することができる、
請求項１から６のいずれか１項に記載の冷凍装置。
【請求項８】
外気温が５２℃以上の環境において使用することができる、
請求項１から７のいずれか１項に記載の冷凍装置。
【発明の詳細な説明】
【技術分野】
【０００１】
本発明は、冷媒の凝縮する温度が比較的高い冷凍装置に関する。
【背景技術】
【０００２】
近年、空気調和装置等の冷凍装置では、特許文献１（特開２００１−２２６６９０号公報）に開示されるように、ハイドロフルオロカーボン（ＨＦＣ）を含む冷媒が主に用いられている。ＨＦＣは、例えば、分子式Ｃ2Ｈ2Ｆ4で表されるＲ１３４ａ、分子式ＣＨ2Ｆ2で表されるＲ３２、および、混合冷媒であるＲ４１０ＡおよびＲ４０７ｃである。ＨＦＣは、塩素を含まないので、クロロフルオロカーボンおよびハイドロクロロフルオロカーボンと比べてオゾン層を破壊する効果が小さい。
【発明の概要】
【発明が解決しようとする課題】
【０００３】
しかし、ＨＦＣを含む冷媒の中には、冷凍機油との相溶性が悪く、冷凍機油と分離しやすい冷媒がある。冷媒と冷凍機油との分離が起こると、圧縮機の摺動部に粘度の高い冷凍機油が供給され、圧縮機の摺動部における粘性抵抗が増加する。これにより、圧縮機の動力損失が増加して、圧縮機の性能が低下するおそれがある。
【０００４】
本発明の目的は、圧縮機の摺動部における粘性抵抗の増加を抑制し、性能を向上させることができる冷凍装置を提供することである。
【課題を解決するための手段】
【０００５】
本発明の第１観点に係る冷凍装置は、圧縮機と凝縮器と膨張機構と蒸発器とが環状に接続される冷凍サイクルを備える。この冷凍装置では、凝縮温度が４６℃以上となる場合がある。凝縮温度は、冷凍サイクルを循環する冷媒が凝縮器で凝縮する温度である。冷凍サイクルには、圧縮機の潤滑用の冷凍機油が入れられる。冷凍機油は、分離温度が凝縮温度よりも高くなる油である。分離温度は、冷凍機油と冷媒との混合物が冷凍機油と冷媒とに分離する温度である。
【０００６】
第１観点に係る冷凍装置は、外気温度が比較的高い環境で使用される。具体的には、この冷凍装置では、圧縮機で圧縮された冷媒が凝縮器で凝縮される温度である凝縮温度が４６℃以上となる場合がある。しかし、この冷凍装置で使用される冷凍機油と冷媒との混合物が分離する温度である分離温度は、凝縮温度よりも高い。そのため、冷凍装置の運転中において、冷凍サイクルを循環する冷媒が冷凍機油と分離することが抑制されるので、圧縮機の摺動部に、冷媒を含む粘度の低い冷凍機油が供給される。従って、第１観点に係る冷凍装置は、圧縮機の摺動部に粘度の高い冷凍機油が供給されることを抑制し、性能を向上させることができる。
【０００７】
本発明の第２観点に係る冷凍装置は、第１観点に係る冷凍装置であって、冷凍機油は、油濃度が３５±１０ｗｔ％である場合において分離温度が凝縮温度よりも高くなる油である。油濃度は、冷凍機油と冷媒との混合物に含まれる冷凍機油の濃度である。
【０００８】
第２観点に係る冷凍装置では、油濃度が３５±１０ｗｔ％と比較的低い時においても、分離温度が凝縮温度よりも高いので、冷媒が冷凍機油と分離することが抑制される。従って、第２観点に係る冷凍装置は、圧縮機の摺動部における粘性抵抗の増加を抑制し、性能を向上させることができる。
【０００９】
本発明の第３観点に係る冷凍装置は、第１観点または第２観点に係る冷凍装置であって、冷凍機油は、圧縮機の起動時において分離温度が凝縮温度よりも高くなる油である。
【００１０】
第３観点に係る冷凍装置は、外気温度が比較的高い環境で使用され、起動時における油濃度が最も低く、起動後に油濃度が徐々に上昇する傾向を示す。油濃度が最も低い起動時において、分離温度が凝縮温度よりも高く、かつ、起動後に油濃度が徐々に上昇しても、分離温度は凝縮温度よりも高いままである。そのため、冷凍装置の起動後において、冷媒が冷凍機油と分離することが抑制される。従って、第３観点に係る冷凍装置は、圧縮機の摺動部における粘性抵抗の増加を抑制し、性能を向上させることができる。
【００１１】
本発明の第４観点に係る冷凍装置は、第１乃至第３観点のいずれか１つに係る冷凍装置であって、冷媒は、ＨＦＣを含む。
【００１２】
第４観点に係る冷凍装置は、ＨＦＣを含む冷媒を用いる。ＨＦＣは、例えば、分子式Ｃ2Ｈ2Ｆ4で表されるＲ１３４ａ、分子式ＣＨ2Ｆ2で表されるＲ３２、および、混合冷媒であるＲ４１０ＡおよびＲ４０７ｃである。ＨＦＣは、塩素を含まないので、クロロフルオロカーボンおよびハイドロクロロフルオロカーボンと比べてオゾン層を破壊する効果が小さい。しかし、ＨＦＣを含む冷媒の中には、冷凍機油との相溶性が悪く、冷凍機油と分離することにより粘性抵抗が増加しやすい冷媒がある。しかし、分離温度が凝縮温度よりも高く、冷媒が冷凍機油と分離することが抑制されるので、冷凍機油の粘度の増加が抑制させる。従って、第４観点に係る冷凍装置は、圧縮機の摺動部における粘性抵抗の増加を抑制し、性能を向上させることができる。
【００１３】
本発明の第５観点に係る冷凍装置は、第１乃至第４観点のいずれか１つに係る冷凍装置であって、凝縮器は、室外に設置され、蒸発器は、室内に設置される。
【００１４】
第５観点に係る冷凍装置は、冷房専用機器である。この冷凍装置の凝縮器は、温度が比較的高い外部環境に設置されるので、凝縮温度が４６℃以上となる場合がある。しかし、分離温度が凝縮温度よりも高いので、冷媒が冷凍機油と分離することが抑制される。従って、第５観点に係る冷凍装置は、圧縮機の摺動部における粘性抵抗の増加を抑制し、性能を向上させることができる。
【００１５】
本発明の第６観点に係る冷凍装置は、第１乃至第５観点のいずれか１つに係る冷凍装置であって、凝縮温度が５２℃以上となる場合がある。
【００１６】
第６観点に係る冷凍装置は、凝縮温度が５２℃以上となるような、外気温度が高い環境で使用することができる。
【発明の効果】
【００１７】
本発明の第１乃至第５観点に係る冷凍装置は、圧縮機の摺動部における粘性抵抗の増加を抑制し、性能を向上させることができる。
【図面の簡単な説明】
【００１８】
【図１】本発明の実施形態に係る空気調和装置の冷媒回路図である。
【図２】Ｒ３２とポリビニルエーテル油との混合物の二層分離温度曲線、および、当該混合物の運転軌跡を表すグラフである。
【図３】Ｒ３２とポリオールエステル油との混合物の二層分離温度曲線、および、当該混合物の運転軌跡を表すグラフである。
【図４】変形例Ａに係る空気調和装置の冷媒回路図である。
【発明を実施するための形態】
【００１９】
（１）空気調和装置の構成
本発明の実施形態に係る冷凍装置としての空気調和装置１について説明する。図１は、空気調和装置１の冷媒回路図である。空気調和装置１は、圧縮機２と、室外熱交換器４と、膨張機構５と、室内熱交換器６とが環状に接続された冷凍サイクルを備える。空気調和装置１は、冷房運転のみを行うことができる冷房専用機器である。図１において、実線の矢印は、空気調和装置１の運転時において、冷凍サイクルを循環する冷媒の流れ方向を表す。空気調和装置１は、外気温が高い環境において使用することができる。具体的には、空気調和装置１は、外気温が４６℃以上の環境において使用することができる。また、好ましくは、空気調和装置１は、外気温が５２℃以上の環境において使用することができる。
【００２０】
冷房運転を行う空気調和装置１の冷凍サイクルについて説明する。最初に、圧縮機２は、低圧のガス冷媒を圧縮して、高圧のガス冷媒を吐出する。圧縮機２から吐出された圧縮冷媒は、室外熱交換器４に供給される。室外熱交換器４は、高圧のガス冷媒を凝縮して、高圧の液冷媒を吐出する。室外熱交換器４から吐出された冷媒は、膨張機構５の膨張弁を通過して低圧の気液混合状態の冷媒となり、室内熱交換器６に供給される。室内熱交換器６は、低圧の気液混合状態の冷媒を蒸発させて、低圧のガス冷媒を吐出する。室内熱交換器６から吐出された冷媒は、圧縮機２に供給される。
【００２１】
空気調和装置１は、冷房専用機器であり、室外熱交換器４は凝縮器として機能し、室内熱交換器６は蒸発器として機能する。そのため、室内熱交換器６において発生する冷媒の蒸発潜熱によって、室内が冷却される。また、室外熱交換器４において冷媒が凝縮される温度である凝縮温度は、４６℃以上であり、好ましくは５２℃以上である。
【００２２】
空気調和装置１の冷凍サイクルには、冷凍機油が封入されている。冷凍機油は、主として、圧縮機２の摺動部における摩耗および焼き付きの防止のために用いられる潤滑油である。圧縮機２の摺動部は、例えば、圧縮機２がスクロール圧縮機の場合、２つのスクロール間のスラスト摺動面、および、クランク軸と軸受との間の摺動面等である。
【００２３】
空気調和装置１の冷媒回路を循環する冷媒としては、ハイドロフルオロカーボン（ＨＦＣ）を含むＨＦＣ系冷媒が用いられる。ＨＦＣは、例えば、分子式Ｃ2Ｈ2Ｆ4で表されるＲ１３４ａ、分子式ＣＨ2Ｆ2で表されるＲ３２、および、混合冷媒であるＲ４１０ＡおよびＲ４０７ｃである。ＨＦＣ系冷媒の地球温暖化係数は、好ましくは１０００以下であり、より好ましくは５００以下であり、さらに好ましくは３００以下であり、特に好ましくは１００以下である。なお、地球温暖化係数の観点からは、ＨＦＣ系冷媒は、Ｒ３２を５０重量％より多く含むＲ３２系冷媒であることが好ましい。Ｒ３２系冷媒の具体例は、Ｒ３２単体、Ｒ３２とＨＦＯ−１２３４ｙｆとの混合物、および、Ｒ３２とＨＦＯ−１１２３との混合物等である。
【００２４】
ＨＦＣ系冷媒は、塩素を含まないので、クロロフルオロカーボンおよびハイドロクロロフルオロカーボン等の他のフッ素系冷媒と比べて、地球温暖化に与える影響が小さく、オゾン層を破壊する効果が小さい。しかし、ＨＦＣ系冷媒には、他のフッ素系冷媒と比べて、冷凍機油との相溶性が悪く、凝縮温度が４６℃以上となる場合に冷凍機油と分離しやすいＲ３２系冷媒等が含まれる。冷媒と冷凍機油とが分離すると、圧縮機２の摺動部における粘性抵抗が増加し、圧縮機２の性能が低下するおそれがある。
【００２５】
（２）冷凍機油の組成
次に、冷凍サイクルに封入されている冷凍機油の組成について説明する。冷凍機油は、主として、基油、酸捕捉剤、極圧剤および酸化防止剤からなる。
【００２６】
基油は、鉱油または合成油が用いられる。基油は、空気調和装置１に使用されるＨＦＣ系冷媒との相溶性が良いものが、適宜に選択される。鉱油は、例えば、ナフテン系鉱油、パラフィン系鉱油である。合成油は、例えば、エステル化合物、エーテル化合物、ポリα‐オレフィン、アルキルベンゼンである。合成油の具体例としては、ポリビニルエーテル、ポリオールエステル、ポリアルキレングリコール等が挙げられる。なお、基油として、上記の鉱油または合成油を２種以上組み合わせた混合物が用いられてもよい。
【００２７】
酸捕捉剤は、ＨＦＣ系冷媒の分解によって発生したフッ酸等の酸と反応することにより、酸による冷凍機油の劣化を抑制するために用いられる添加剤である。酸捕捉剤は、例えば、エポキシ化合物、カルボジイミド化合物、テンペン系化合物である。酸捕捉剤の具体例としては、２−エチルヘキシルグリシジルエーテル、フェニルグリシジルエーテル、エポキシ化シクロヘキシルカルビノール、ジ（アルキルフェニル）カルボジイミド、β−ピネン等が挙げられる。ＨＦＣ系冷媒の分解によって発生したフッ酸等の酸は、冷凍機油に含まれる酸捕捉剤によって捕捉される。これにより、ＨＦＣ系冷媒の分解によって発生した酸に起因する冷凍機油の劣化、および、膨張機構５の膨張弁等の金属部品の腐食が抑制される。
【００２８】
極圧剤は、圧縮機２の摺動部における摩耗および焼き付きを防止するために用いられる添加剤である。冷凍機油は、摺動部において互いに摺動する部材表面の間に油膜を形成することで、摺動部材同士の接触を防止する。しかし、ポリビニルエーテルのような低粘度の冷凍機油を使用する場合、および、摺動部材にかかる圧力が高い場合には、摺動部材同士が接触しやすくなる。極圧剤は、摺動部において互いに摺動する部材表面と反応して被膜を形成することで、摩耗および焼き付きの発生を抑制する。極圧剤は、例えば、リン酸エステル、亜リン酸エステル、チオリン酸塩、硫化エステル、スルフィド、チオビスフェノール等である。極圧剤の具体例としては、トリクレジルホスフェート（ＴＣＰ）、トリフェニルフォスフェート（ＴＰＰ）、トリフェニルホスホロチオエート（ＴＰＰＴ）、アミン、Ｃ１１−１４側鎖アルキル、モノヘキシルおよびジヘキシルフォスフェートが挙げられる。ＴＣＰは、摺動部材の表面に吸着し、分解することで、リン酸塩の被膜を形成する。
【００２９】
酸化防止剤は、冷凍機油の酸化を防止するために用いられる添加剤である。酸化防止剤の具体例としては、ジチオリン酸亜鉛、有機硫黄化合物、２，６−ジ−ｔｅｒｔ−ブチル−４−メチルフェノール、２，６−ジ−ｔｅｒｔ−ブチル−４−エチルフェノール、２，２’−メチレンビス（４−メチル−６−ｔｅｒｔ−ブチルフェノール）等のフェノール系、フェニル−α−ナフチルアミン、Ｎ，Ｎ’−ジ−フェニル−ｐ−フェニレンジアミン等のアミン系の酸化防止剤、Ｎ，Ｎ’‐ジサリシリデン‐１，２‐ジアミノプロパン等が挙げられる。
【００３０】
（３）冷凍機油の特性
次に、空気調和装置１で使用される冷凍機油の特性について説明する。最初に、ＨＦＣ系冷媒と冷凍機油との混合物（以下、単に「混合物」と記載する。）の二層分離温度曲線、および、混合物の運転軌跡の例について、図２および図３を参照しながら説明する。ここで、ＨＦＣ系冷媒は、Ｒ３２単体である。
【００３１】
図２において、横軸は、混合物に含まれる冷凍機油の濃度（ｗｔ％）である油濃度であり、縦軸は、混合物の温度である。冷凍機油は、ポリビニルエーテル油である。曲線Ｌ１，Ｌ２は、二層分離温度曲線である。上側の曲線Ｌ１より上方の領域Ｒ１、および、下側の曲線Ｌ２より下方の領域Ｒ２は、Ｒ３２とポリビニルエーテル油とが二層分離している領域である。曲線Ｌ１と曲線Ｌ２との間の領域Ｒ３は、Ｒ３２とポリビニルエーテル油とが二層分離していない領域である。すなわち、領域Ｒ３は、Ｒ３２とポリビニルエーテル油とが互いに溶解している領域である。
【００３２】
図３において、横軸は、混合物に含まれる冷凍機油の濃度（ｗｔ％）である油濃度であり、縦軸は、混合物の温度である。冷凍機油は、ポリオールエステル油である。曲線Ｌ４，Ｌ５は、二層分離温度曲線である。上側の曲線Ｌ４より上方の領域Ｒ４、および、下側の曲線Ｌ５より下方の領域Ｒ５は、Ｒ３２とポリオールエステル油とが二層分離している領域である。曲線Ｌ４と曲線Ｌ５との間の領域Ｒ６は、Ｒ３２とポリオールエステル油とが二層分離していない領域である。すなわち、領域Ｒ６は、Ｒ３２とポリオールエステル油とが互いに溶解している領域である。
【００３３】
なお、冷凍機油の組成にもよるが、冷媒としてＲ３２を用いる場合、冷媒と冷凍機油との混合物の油濃度の最小値は、３５±１０ｗｔ％である。
【００３４】
図２および図３において、直線ＬＭは、外気温が高い環境で空気調和装置１を使用した場合における、混合物の運転軌跡を表す。図２および図３において直線ＬＭで示される混合物の運転軌跡は、共通である。直線ＬＭは、空気調和装置１の起動時における、圧縮機２の内部に存在する混合物の状態の推移を表す。空気調和装置１の起動前において、混合物は、直線ＬＭの点Ｐ１の状態にある。圧縮機２は室外に設置されているので、空気調和装置１の起動前において、圧縮機２の内部に存在する混合物の温度は、外気温に近い。空気調和装置１が起動すると、空気調和装置１の運転時間の経過と共に、圧縮機２の温度が上昇するため混合物の温度も上昇し、混合物に含まれる液冷媒が徐々に蒸発する。その結果、混合物の油濃度は徐々に増加する。図２および図３では、混合物の油濃度は、空気調和装置１の起動時における点Ｐ１の約３５ｗｔ％から、徐々に増加している。すなわち、点Ｐ１は、油濃度が最小値であるときの状態を示す。
【００３５】
空気調和装置１の起動時における混合物の運転軌跡ＬＭは、図２においては、Ｒ３２とポリビニルエーテル油とが二層分離しない領域Ｒ３に存在し、図３においては、Ｒ３２とポリオールエステル油とが二層分離しない領域Ｒ６に存在する。そのため、空気調和装置１の起動時において、混合物は、Ｒ３２と冷凍機油とに二層分離しない。混合物が二層分離すると、冷凍機油の粘度が増加する。空気調和装置１に使用される冷凍機油は、混合物がＲ３２と冷凍機油とに二層分離する温度である分離温度が、凝縮温度よりも高い特性を有する油である。ここで、分離温度は、図２の上側の二層分離温度曲線Ｌ１、および、図３の上側の二層分離温度曲線Ｌ４で示される、高温側の分離温度である。冷凍サイクルにおいて、混合物の温度の最大値は凝縮温度である。そのため、高温側の分離温度が凝縮温度よりも高い場合、混合物は、Ｒ３２と冷凍機油とに分離しない。反対に、凝縮温度が高温側の分離温度よりも高い場合、混合物は、Ｒ３２と冷凍機油とに分離するおそれがある。
【００３６】
（４）特徴
空気調和装置１は、外気温度が比較的高い環境で使用され、圧縮機２で圧縮された冷媒が室外熱交換器４で凝縮される温度である凝縮温度が４６℃以上となる場合がある。しかし、空気調和装置１で使用される冷凍機油と冷媒との混合物が二層分離する温度である分離温度は、凝縮温度よりも高い。そのため、空気調和装置１の運転中において、冷凍サイクルに封入されている混合物が冷媒と冷凍機油とに分離することが抑制される。その結果、圧縮機２の摺動部に、冷凍機油を十分に含まない潤滑性の低い冷媒が供給されることが抑制される。従って、空気調和装置１は、圧縮機２の摺動部における粘性抵抗の増加を抑制し、性能を向上させることができる。
【００３７】
また、空気調和装置１は、外気温度が比較的高い環境で使用され、空気調和装置１の起動前における混合物の油濃度（図２および図３の点Ｐ１の油濃度）が３５±１０ｗｔ％と最も低く、空気調和装置１の起動後に混合物の油濃度が徐々に上昇する傾向を示す。しかし、図２および図３に示されるように、空気調和装置１の起動後に混合物の油濃度が徐々に上昇しても、混合物の温度は分離温度よりも低いままである。そのため、空気調和装置１の運転中において、冷凍サイクルに封入されている混合物が冷媒と冷凍機油とに分離することが抑制される。従って、空気調和装置１は、圧縮機２の摺動部における粘性抵抗の増加を抑制し、性能を向上させることができる。
【００３８】
また、空気調和装置１は、ＨＦＣ系冷媒を用いる。ＨＦＣ系冷媒の一種であるＲ３２は、他のフッ素系冷媒と比べて、冷凍機油との相溶性が悪く、冷凍機油と分離することにより粘性抵抗が増加しやすい。しかし、空気調和装置１は、冷凍機油として、分離温度が凝縮温度よりも高い特性を有する油を用いるので、冷凍機油と冷媒との混合物が冷媒と冷凍機油とに分離することが抑制され、その結果、冷凍機油の粘度の増加が抑制される。従って、空気調和装置１は、圧縮機２の摺動部における粘性抵抗の増加を抑制し、性能を向上させることができる。
【００３９】
また、高温側において、Ｒ３２と冷凍機油との混合物が二層分離する温度は、Ｒ４１０ＡまたはＲ４０７Ｃと冷凍機油との混合物が二層分離する温度よりも低い。そのため、外気温が高い環境において、Ｒ３２と冷凍機油との混合物は、Ｒ４１０ＡまたはＲ４０７Ｃと冷凍機油との混合物と比較して、空気調和装置１の起動時に二層分離しやすい傾向を有する。従って、分離温度が凝縮温度よりも高い特性を有する冷凍機油を用いることで、空気調和装置１の起動時における混合物の二層分離が抑制され、その結果、冷凍機油の粘度の増加が抑制される。従って、空気調和装置１は、圧縮機２の摺動部における粘性抵抗の増加を抑制し、性能を向上させることができる。
【００４０】
（５）変形例
以上、本発明の実施形態について説明したが、本発明の具体的構成は、本発明の要旨を逸脱しない範囲内で変更可能である。以下、本発明の実施形態に適用可能な変形例について説明する。
【００４１】
（５−１）変形例Ａ
本実施形態では、空気調和装置１は、冷房専用機器である。しかし、空気調和装置１は、冷房機能および暖房機能の両方を備える機器でもよい。図４は、本変形例における空気調和装置１の冷媒回路図である。空気調和装置１は、主として、圧縮機２と、四方切替弁３と、室外熱交換器４と、膨張機構５と、室内熱交換器６とから構成される。図４において、実線の矢印は、冷房運転時における冷媒の流れを表し、点線の矢印は、暖房運転時における冷媒の流れを表す。
【００４２】
冷房運転時では、室外熱交換器４は凝縮器として機能し、室内熱交換器６は蒸発器として機能する。すなわち、室内熱交換器６で発生する冷媒の蒸発潜熱によって、室内が冷却される。一方、暖房運転時では、四方切替弁３を切り換えることで、室外熱交換器４は蒸発器として機能し、室内熱交換器６は凝縮器として機能する。すなわち、室外熱交換器４で発生する冷媒の凝縮潜熱によって、室内が加熱される。
【００４３】
本変形例においても、分離温度が凝縮温度よりも高い特性を有する冷凍機油を用いることで、空気調和装置１の起動時における混合物の二層分離が抑制され、その結果、冷凍機油の粘度の増加が抑制される。従って、空気調和装置１は、圧縮機２の摺動部における粘性抵抗の増加を抑制し、性能を向上させることができる。
【００４４】
（５−２）変形例Ｂ
本実施形態では、冷凍機油は、極圧剤および酸化防止剤を含んでいる。しかし、冷凍機油は、極圧剤および酸化防止剤の一方のみを含んでいてもよく、極圧剤および酸化防止剤を含んでいなくてもよい。
【産業上の利用可能性】
【００４５】
本発明に係る冷凍装置は、圧縮機の摺動部における粘性抵抗の増加を抑制し、性能を向上させることができる。
【符号の説明】
【００４６】
１      空気調和装置（冷凍装置）
２      圧縮機
４      室外熱交換器（凝縮器、蒸発器）
５      膨張機構
６      室内熱交換器（蒸発器、凝縮器）
【先行技術文献】
【特許文献】
【００４７】
【特許文献１】特開２００１−２２６６９０号公報
【図１】
0006736910.tif 000002
【図２】
0006736910.tif 000003
【図３】
0006736910.tif 000004
【図４】
0006736910.tif 000005